(57)【要約】【課題】モバイルネットワークで動作する中継局を提供することである。【解決手段】モバイルＯＦＤＭＡネットワークで動作する中継局である。該中継局は、タイムフレームのダウンリンクサブフレームを、前記ネットワーク中の基地局と前記中継局との間の送信用の第１の割り当てタイムゾーンと、前記基地局と前記ネットワーク中の移動局との間の送信用の第２の割り当てタイムゾーンと、前記中継局と前記移動局との間の送信用の第３の割り当てタイムゾーンとに分割する手段と、前記タイムフレームのアップリンクサブフレームを、前記移動局と前記中継局との間の送信用の第１の割り当てタイムゾーンと、前記移動局と前記基地局との間の送信用の第２の割り当てタイムゾーンと、前記中継局と前記基地局との間の送信用の第３の割り当てタイムゾーンとを有するアップリンクサブフレームとに分割する手段とを有する。【選択図】図４
2008178074.tif 000002
【特許請求の範囲】
【請求項１】
モバイルＯＦＤＭＡネットワークで動作する中継局であって、
タイムフレームのダウンリンクサブフレームを、前記ネットワーク中の基地局と前記中継局との間の送信用の第１の割り当てタイムゾーンと、前記基地局と前記ネットワーク中の移動局との間の送信用の第２の割り当てタイムゾーンと、前記中継局と前記移動局との間の送信用の第３の割り当てタイムゾーンとに分割する手段と、
前記タイムフレームのアップリンクサブフレームを、前記移動局と前記中継局との間の送信用の第１の割り当てタイムゾーンと、前記移動局と前記基地局との間の送信用の第２の割り当てタイムゾーンと、前記中継局と前記基地局との間の送信用の第３の割り当てタイムゾーンとを有するアップリンクサブフレームとに分割する手段とを有する中継局。
【請求項２】
前記ダウンリンクサブフレームの前記第３の割り当てタイムゾーンの始めに、プリアンブルバーストとアロケーションバーストを設ける手段をさらに有する、請求項１に記載の中継局。
【請求項３】
前記ダウンリンクサブフレームの前記第１と第３の割り当てタイムゾーンと、前記アップリンクサブフレームの前記第１と第２の割り当てタイムゾーンとはアロケーションに応じて決まる、請求項２に記載の中継局。
【請求項４】
同一ネットワークセル内の複数の中継局が、前記ダウンリンクサブフレームの前記第１と第３の割り当てタイムゾーンと、前記アップリンクサブフレームの前記第１と第３のアロケーションタイムフレームとを共有する、請求項２に記載の中継局。
【請求項５】
前記ＯＦＤＭＡネットワークはＩＥＥＥ８０２．１６標準のネットワークである、請求項２に記載の中継局。
【請求項６】
モバイルＯＦＤＭＡネットワークで動作する中継局のタイムフレームの構成方法であって、
前記タイムフレームのダウンリンクサブフレームを、前記ネットワーク中の基地局と前記中継局との間の送信用の第１の割り当てタイムゾーンと、前記基地局と前記ネットワーク中の移動局との間の送信用の第２の割り当てタイムゾーンと、前記中継局と前記移動局との間の送信用の第３の割り当てタイムゾーンとに分割する段階と、
前記タイムフレームのアップリンクサブフレームを、前記移動局と前記中継局との間の送信用の第１の割り当てタイムゾーンと、前記移動局と前記基地局との間の送信用の第２の割り当てタイムゾーンと、前記中継局と前記基地局との間の送信用の第３の割り当てタイムゾーンとを有するアップリンクサブフレームとに分割する段階とを有する方法。
【請求項７】
モバイルＯＦＤＭＡネットワークで動作する中継局のフレーム構成であって、
前記ネットワーク中の基地局と前記中継局との間の送信用の第１の割り当てタイムゾーンと、前記基地局と前記ネットワーク中の移動局との間の送信用の第２の割り当てタイムゾーンと、前記中継局と前記移動局との間の送信用の第３の割り当てタイムゾーンとを有するダウンリンクサブフレームと、
前記移動局と前記中継局との間の送信用の第１の割り当てタイムゾーンと、前記移動局と前記基地局との間の送信用の第２の割り当てタイムゾーンと、前記中継局と前記基地局との間の送信用の第３の割り当てタイムゾーンとを有するアップリンクサブフレームとを有するフレーム構成。
【発明の詳細な説明】
【技術分野】
【０００１】
本発明はモバイルネットワークに関し、特にモバイルネットワークで動作する中継局とそのフレーム構成方法とに関する。
【背景技術】
【０００２】
無線通信ネットワークはますます多く使われるように成っている。無線通信ネットワークは一般的に基地局を含み、この基地局がその周辺にあるセルエリア（cell  area）をサービスする。移動局（携帯電話等）は、基地局のサービスエリア内にいる時、その基地局と通信することができる。
【０００３】
しかし、無線通信ネットワークにおいては、送受信アンテナ間のビルその他の障害物により妨害されて、シャドウイング（shadowing）等の効果により、サービスエリア内になっても基地局との通信ができないデッドゾーンが生じる。この問題を解決するため、ＯＦＤＭＡ（Orthogonal  Frequency  Division  Multiple  Access）ネットワーク（例えば、ＩＥＥＥ８０２．１６標準に基づくネットワーク等）では、ネットワーク内で動作している移動局と基地局との間で仲介者（intermediaries）として機能し、伝送能力を強化する中継局を利用する。このように、セルサービスエリア内の基地局に直接接続できない移動局は、基地局との直接リンク（場合によっては間接リンク）を有する中継局と最初に通信して、その基地局に間接的に接続することができる。
【０００４】
各中継局はネットワーク中の他のステーションとの間で信号を送受信するハードウェア構成を有している。この目的を達成するため、各中継局は一般的にダブルトランシーバを有し、中継局と基地局の間のリンクと、中継局と移動局との間のリンクとを両方ともカバーしている。
【発明の開示】
【課題を解決するための手段】
【０００５】
本発明の実施形態により、次のサブフレームを有するフレーム構成が提供される：（ａ）基地局と中継局との間の送信用の第１の割り当てタイムゾーンと、基地局と１つ以上の移動局との間の送信用の第２の割り当てタイムゾーンと、中継局と１つ以上の移動局との間の送信用の第３の割り当てタイムゾーンとを有するダウンリンクサブフレームと、（ｂ）１つ以上の移動局と中継局との間の送信用の第１の割り当てタイムゾーンと、１つ以上の移動局と基地局との間の送信用の第２の割り当てタイムゾーンと、中継局と基地局との間の送信用の第３の割り当てタイムゾーンとを有するアップリンクサブフレーム。
【０００６】
本発明の実施形態により、次の段階を含む方法が提供される：（ａ）タイムフレームのダウンリンクサブフレームを、基地局と中継局との間の送信用の第１の割り当てタイムゾーンと、基地局と１つ以上の移動局との間の送信用の第２の割り当てタイムゾーンと、中継局と１つ以上の移動局との間の送信用の第３の割り当てタイムゾーンとに分割する段階と、（ｂ）タイムフレームのアップリンクサブフレームを、１つ以上の移動局と中継局との間の送信用の第１の割り当てタイムゾーンと、１つ以上の移動局と基地局との間の送信用の第２の割り当てタイムゾーンと、中継局と基地局との間の送信用の第３の割り当てタイムゾーンとを有するアップリンクサブフレームとに分割する段階。
【０００７】
本発明の上記の実施形態は単なる例であり、本発明のすべての実施形態はこれらの例には限定されない。
【０００８】
本発明のその他の有利性は、一部は以下の説明に記載してあり、一部はその説明から自明であり、一部は本発明の実施により分かるであろう。
【０００９】
本発明のこれらの特徴と利点は、添付した図面を参照して以下の好ましい実施形態の説明を読めば明らかとなるであろう。
【発明を実施するための最良の形態】
【００１０】
本発明の好ましい実施形態を詳細に参照する。これらの好ましい実施形態の例は添付した図面に示した。同じ要素には図面を通して同じ参照数字を付した。
【００１１】
図１はＯＦＤＭＡネットワークで動作する中継局を含む、セル内トポロジーの一例を示す図である。ネットワークセルは基地局（ＢＳ）１５、中継局（ＲＳ）５５、第１の移動局（ＭＳ１）２５、第２の移動局（ＭＳ２）３５、及び第３の移動局（ＭＳ３）４５を含む。この例では、移動局２５は基地局１５のレンジ（range）内にあり、ＭＳ１−ＢＳリンク１７を介して基地局１５と直接通信できる。移動局３５は基地局１５と中継局５５のレンジ内にあり、ＭＳ２−ＢＳリンク２７を介して基地局１５と直接通信できる。あるいは、ＭＳ２−ＲＳリンク７７とＲＳ−ＢＳリンク３７を用いて中継局５５を介して間接的に基地局１５と通信できる。移動局４５は基地局１５のレンジ外にあり、ＭＳ３−ＲＳリンク６７とＲＳ−ＢＳリンク３７を用いて中継局５５を介して間接的に基地局１５と通信できる。リンク３７とリンク６７の両方にサービスを提供するため、中継局５５は２つのトランシーバを要する。このため、同一時間フレーム内で並行してトランシーバを動作させるので、大きな干渉が生じやすくなる。
【００１２】
本発明の実施形態により、基地局と１つ以上の移動局とを有するモバイルＯＦＤＭＡネットワークで動作する中継局のフレーム構成が提供される。本発明の実施形態により、３つの割り当てタイムゾーンを有するダウンリンクサブフレームと３つの割り当てタイムゾーンを有するアップリンクサブフレームとを含むフレーム構成が提供される。
【００１３】
本発明の様々な実施形態によれば、基地局と中継局との間の送信用の第１の割り当てタイムゾーンと、基地局と１つ以上の移動局との間の送信用の第２の割り当てタイムゾーンと、中継局と１つ以上の移動局との間の送信用の第３の割り当てタイムゾーンとを有するダウンリンクサブフレームが提供される。
【００１４】
本発明の様々な実施形態によれば、１つ以上の移動局と中継局との間の送信用の第１の割り当てタイムゾーンと、１つ以上の移動局と基地局との間の送信用の第２の割り当てタイムゾーンと、中継局と基地局との間の送信用の第３の割り当てタイムゾーンとを有するアップリンクサブフレームが提供される。このようにして、ネットワーク中のステーション（stations）間の干渉を大幅に低減することができ、単一のスイッチド・トランシーバ（switched-transceiver）アーキテクチャを有する中継局を提供できる。
【００１５】
図１はＯＦＤＭＡネットワークで動作する単一の中継局を含む、セル内トポロジーの単なる一例を示す図である。本発明の様々な実施形態は、図１に例示したように単一の基地局と単一の中継局と３つの移動局とのみを含むＯＦＤＭＡネットワークには限定されず、任意台数の基地局、中継局、移動局をサポートするいかなる無線通信ネットワークも含み得る。
【００１６】
図２と図３は、本発明の一実施形態による、図１に示したモバイルＯＦＤＭＡネットワークにおいて動作している基地局１５と中継局５５のフレーム構成とトラフィックアクティビティ（traffic  activity）をそれぞれ示している。各フレームはダウンリンクサブフレームとアップリンクサブフレームとを含む。例示を簡単にするため、ダウンリンク制御バースト（downlink  control  bursts）のみを図示した。各ダウンリンクサブフレームは、基地局１５と中継局５５との間の送信バースト用の第１の割り当てタイムゾーンと、基地局１５と移動局２５、３５、４５との間の送信バースト用の第２の割り当てタイムゾーンと、中継局５５と移動局２５、３５、４５との間の送信バースト用の第３の割り当てタイムゾーンとに分割される。各アップリンクサブフレームは、１つ以上の移動局２５、３５、４５と中継局５５との間の送信用の第１の割り当てタイムゾーンと、１つ以上の移動局２５、３５、４５と基地局１５との間の送信用の第２の割り当てタイムゾーンと、中継局５５と基地局１５との間の送信用の第３の割り当てタイムゾーンとに分割される。
【００１７】
図２と図３に示したように、基地局１５から中継局５５を介して移動局４５に行くダウンリンクバーストは、中継局５５がフレームｋで受信して、フレームｋ＋１で移動局４５に中継する。フレームｋ−１（図示せず）で中継局５５を介した移動局４５へ行くダウンリンクバーストがスケジュールされていなければ、中継局５５は移動局４５にダウンリンクバーストをフレームｋでは送信しない。これは、フレーム適合度１の場合のフレーム構成（frame  structure  with  a  frame  relevance  １  implementation）を表す。本発明の実施形態はフレーム適合度１の場合のフレーム構成には限定されず、任意のフレーム適合度のフレーム構成を含む。
【００１８】
基地局ダウンリンクサブフレームの第１の割り当てタイムゾーンで基地局１５から移動局４５に行くダウンリンクバーストを基地局ダウンリンクサブフレームの第１の割り当てタイムゾーンで受信する。それゆえ、中継局ダウンリンクサブフレームの第２の割り当てタイムゾーンでは中継局の動作は行われないので、このタイムゾーンは、中継局ダウンリンクサブフレームの第１の割り当てタイムゾーンと中継局ダウンリンクサブフレームの第３の割り当てタイムゾーンとの間の時間的バッファとして機能する。このように、基地局１５から中継局５５が受信するバーストを、同一タイムフレームで移動局４５に送信することができ、移動局４５から中継局５５が受信するバーストを、同一タイムフレームで基地局１５に送信することができる。これは、フレーム適合度０の場合のフレーム構成（frame  structure  with  a  frame  relevance  ０  implementation）を表す。中継局の物理レイヤ（ＰＨＹ）とＭＡＣ構成により、中継局がかかるフレーム適合度０の場合をサポートできるかが決まる。
【００１９】
本発明の実施形態では、ＰＵＳＣ（partially  used  sub-carriers）等のアロケーション（dedicated  allocation）に応じて、ダウンリンクサブフレームの第１と第３の割り当てタイムゾーンと、アップリンクサブフレームの第１と第２の割り当てタイムゾーンとが提供される。さらに、本発明の実施形態では、任意的なアロケーションに応じた、ダウンリンクサブフレームの第２の割り当てタイムゾーンと、アップリンクサブフレームの第３の割り当てタイムゾーンとが提供される。本発明の実施形態は、ダウンリンクサブフレームの第１と第３の割り当てタイムゾーンと、アップリンクサブフレームの第１と第２の割り当てタイムゾーンとが、アロケーション（dedicated  allocation）に従う場合と、及びダウンリンクサブフレームの第２の割り当てタイムゾーンと、アップリンクサブフレームの第３の割り当てタイムゾーンとが、任意的アロケーションに従う場合とに限定はされず、いかなるアロケーションを有するいかなるフレーム構成をも含み得る。
【００２０】
各ＯＦＤＭＡフレームは、それぞれプリアンブルバースト１０２と２０２で始まり、次にそれぞれアロケーションバースト１０４と２０４が続く。アロケーションバースト１０４と２０４は、例えば、ＭＡＰ（Mobile  Application  Part）バーストである。連続したプリアンブルバースト１０２とアロケーションバースト１０４が、基地局の単一かつ個別のタイムフレームの区切りになっている（delimit）。連続したプリアンブルバースト２０２とアロケーションバースト２０４が、中継局の単一かつ個別のタイムフレームの区切りになっている（delimit）。ＩＥＥＥ８０２．１６ｅ標準のネットワークで標準となっているように、基地局フレームのプリアンブルバースト１０２とアロケーションバースト１０４が、ダウンリンクサブフレームの第１の割り当てタイムゾーンの前に設けられる。しかし、中継局フレームのプリアンブルバースト２０２とアロケーションバースト２０４は、ダウンリンクサブフレームの第３の割り当てタイムゾーンの前に設けられる。それが故に、中継局フレームは、図２に示した基地局フレームと比較して、図３に示したように、非対称なダウンリンク・アップリンク構成となっている。
【００２１】
このように、一般的には中継局レベルでは並行した送受信動作はなく、基地局と中継局との間の送受信は同期して、セル内で干渉が起きないようになっている。それゆえ、中継局のトランシーバを共用（切り換え型）にすることができ、大幅なコスト削減ができる。さらに、中継局にＩＥＥＥ８０２．１６ｅ標準で動作するハードウェアとの後方互換性（backward  compatibility）を持たせることができる。
【００２２】
図２と図３は、単一の中継局、単一の基地局、３台の移動局を有するＦＤＭＡネットワークにおける基地局と中継局のフレーム構成とトラフィック（traffic  activity）の例示に過ぎない。本発明の様々な実施形態は、単一の基地局と単一の中継局と３つの移動局とのみを含むＯＦＤＭＡネットワークには限定されず、任意台数の基地局、中継局、移動局をサポートするいかなる無線通信ネットワークも含み得る。
【００２３】
複数の中継局がＯＦＤＭＡネットワークのセル内で動作している場合、ダウンリンクサブフレームの第１の割り当てタイムゾーンを、セル内中継局のすべてに行くダウンリンク送信に対してスケジュールすることもでき、第１のアロケーションはＰＵＳＣ（Partially  Used  Sub-Carriers）である。第２のアロケーションを画成してもよい。本発明の実施形態はこれらのアロケーションには限定されず、いかなるアロケーション構成を含んでいてもよい。
【００２４】
ダウンリンクサブフレームの第３の割り当てタイムゾーンと、アップリンクサブフレームの第３の割り当てタイムゾーンとをすべての中継局が使用することもできる。ただし、セル内干渉の管理を最適化するようにネットワーク管理をすることが必要である。最初のアロケーションはＰＵＳＣであり、その後のアロケーションは適宜決めることができる。本発明の実施形態はこれらのアロケーションには限定されず、いかなるアロケーション構成を含んでいてもよい。
【００２５】
同じアロケーションを使用すれば、すべてのセル内中継局が、アップリンクサブフレームの第１の割り当てタイムゾーンを使用できる。最初のアロケーションはＰＵＳＣであり、その後のアロケーションは適宜決めることができる。本発明の実施形態はこれらのアロケーションには限定されず、いかなるアロケーション構成を含んでいてもよい。
【００２６】
図４は、モバイルＯＦＤＭＡ（Orthogonal  Frequency  Division  Multiple  Access）ネットワークで動作する中継局のタイムフレームを構成する手順を示すフローチャートである。ここで、図４を参照して、ステップ３００において、タイムフレームのダウンリンクサブフレームを、基地局と中継局との間の送信用の第１の割り当てタイムゾーンと、基地局と１つ以上の移動局との間の送信用の第２の割り当てタイムゾーンと、中継局と１つ以上の移動局との間の送信用の第３の割り当てタイムゾーンとに分割する。
【００２７】
ステップ３００からステップ４００に進み、タイムフレームのアップリンクサブフレームを、１つ以上の移動局と中継局との間の送信用の第１の割り当てタイムゾーンと、１つ以上の移動局と基地局との間の送信用の第２の割り当てタイムゾーンと、中継局と基地局との間の送信用の第３の割り当てタイムゾーンとに分割する。
【００２８】
ダウンリンクサブフレームの第３の割り当てタイムゾーンの始めに、プリアンブルバーストとアロケーションバースト（ＭＡＰバースト）をさらに設けてもよい。ダウンリンクサブフレームの第３の割り当てタイムゾーンの始めに、プリアンブルバーストとアロケーションバースト（ＭＡＰバースト）を設けることにより、中継局レベルでは並行した送受信動作が行われず、基地局と中継局との間で送受信を同期して、セル内干渉を回避する。
【００２９】
本発明は、ＯＦＤＭＡネットワーク、特に８０２．１６ネットワークで動作する中継局のフレーム構成に関する。しかし、本発明は特定種類のネットワークには限定されず、上記中継局のフレーム構成と方法を、相異なる様々なタイプの無線通信ネットワークに適用することができる。さらに、中継局は、ＩＥＥＥ８０２．１６ｅ標準に基づくＷｉＭＡＸネットワーク等のネットワークで動作するすべての基地局及び移動局と後方互換性を有することが望ましい。
【００３０】
中継局はこれらの並行したトランシーバの動作で大きな干渉を起こすこともある。中継局のトランスミッタとレシーバの並行した動作により、そのタイムフレームの間に中継局が受信する信号は非常に悪化する。さらに、中継局が、関係するアンカー基地局（anchor  base  station）と並行して送信する場合、重なるサービスエリアにある移動局またはその他の中継局が受信する信号は非常に悪化する。かかるダブルでトランシーバを有する中継局を設けるには費用がかかるという点でも不利である。よって、切り換え型トランシーバアーキテクチャの中継局をフレーム構成がサポートすることが望ましい。
【００３１】
本発明は、修正及び拡張も含めてＩＥＥＥ８０２．１６標準（ＩＥＥＥ８０２．１６ｅ、ＩＥＥＥ８０２．１６ｊ等も含む）に関する。ＩＥＥＥ８０２．１６標準はその全体をここに参照援用する。
【００３２】
米国特許出願第１１／６９１，７８５号（出願日２００７年３月２７日、発明の名称「SWITCHABLE  TRANSCEIVER  FOR  RELAY  STATION」、発明者Aram  Sukiasyan,  Chad  Gilbertson,  and  Dorin  Viorel）はその全体をここに参照援用する。
【００３３】
本発明の少数の好ましい実施形態を図示して説明したが、当業者には言うまでもなく、本発明の原理と精神から逸脱することなくこれらの実施形態に変更を加えることができる。本発明の範囲は、請求項及びその均等の範囲により規定される。
【００３４】
なお、本発明のいくつかの態様を整理すると以下の通りである。
（付記１）モバイルＯＦＤＭＡネットワークで動作する中継局のフレーム構成であって、
前記ネットワーク中の基地局と前記中継局との間の送信用の第１の割り当てタイムゾーンと、前記基地局と前記ネットワーク中の移動局との間の送信用の第２の割り当てタイムゾーンと、前記中継局と前記移動局との間の送信用の第３の割り当てタイムゾーンとを有するダウンリンクサブフレームと、
前記移動局と前記中継局との間の送信用の第１の割り当てタイムゾーンと、前記移動局と前記基地局との間の送信用の第２の割り当てタイムゾーンと、前記中継局と前記基地局との間の送信用の第３の割り当てタイムゾーンとを有するアップリンクサブフレームとを有するフレーム構成。
（付記２）前記ダウンリンクサブフレームの前記第３の割り当てタイムゾーンの始めに、プリアンブルバーストとアロケーションバーストを設けた、付記１に記載のフレーム構成。
（付記３）連続したプリアンブルバーストが単一フレームを区切る、付記２に記載のフレーム構成。
（付記４）前記フレーム構成はフレーム適合性が１である、付記３に記載のフレーム構成。
（付記５）前記フレーム構成はフレーム適合性が０である、付記３に記載のフレーム構成。
（付記６）前記ダウンリンクサブフレームの前記第１と第３の割り当てタイムゾーンと、前記アップリンクサブフレームの前記第１と第２の割り当てタイムゾーンとはアロケーションに応じて決まる、付記１に記載のフレーム構成。
（付記７）前記ダウンリンクサブフレームの前記第２の割り当てタイムゾーンと、前記アップリンクサブフレームの前記第３の割り当てタイムゾーンとは任意的アロケーションに応じて決まる、付記６に記載のフレーム構成。
（付記８）前記第１のアロケーションはＰＵＳＣ（partially  used  sub-carriers）である、付記７に記載のフレーム構成。
（付記９）同一ネットワークセル内の複数の中継局が、前記ダウンリンクサブフレームの前記第１と第３の割り当てタイムゾーンと、前記アップリンクサブフレームの前記第１と第３のアロケーションタイムフレームとを共有する、付記１に記載のフレーム構成。
（付記１０）前記ＯＦＤＭＡネットワークはＩＥＥＥ８０２．１６標準のネットワークである、付記１に記載のフレーム構成。
（付記１１）モバイルＯＦＤＭＡネットワークで動作する中継局のタイムフレームの構成方法であって、
前記タイムフレームのダウンリンクサブフレームを、前記ネットワーク中の基地局と前記中継局との間の送信用の第１の割り当てタイムゾーンと、前記基地局と前記ネットワーク中の移動局との間の送信用の第２の割り当てタイムゾーンと、前記中継局と前記移動局との間の送信用の第３の割り当てタイムゾーンとに分割する段階と、
前記タイムフレームのアップリンクサブフレームを、前記移動局と前記中継局との間の送信用の第１の割り当てタイムゾーンと、前記移動局と前記基地局との間の送信用の第２の割り当てタイムゾーンと、前記中継局と前記基地局との間の送信用の第３の割り当てタイムゾーンとを有するアップリンクサブフレームとに分割する段階とを有する方法。
（付記１２）前記ダウンリンクサブフレームの前記第３の割り当てタイムゾーンの始めに、プリアンブルバーストとアロケーションバーストを設ける段階をさらに有する、付記１１に記載の方法。
（付記１３）連続したプリアンブルバーストが単一タイムフレームを区切る、付記１２に記載の方法。
（付記１４）前記フレーム構成はフレーム適合性が１である、付記１３に記載のフレーム構成。
（付記１５）前記フレーム構成はフレーム適合性が０である、付記１３に記載のフレーム構成。
（付記１６）前記ダウンリンクサブフレームの前記第１と第３の割り当てタイムゾーンと、前記アップリンクサブフレームの前記第１と第２の割り当てタイムゾーンとはアロケーションに応じて決まる、付記１１に記載のフレーム構成。
（付記１７）前記ダウンリンクサブフレームの前記第２の割り当てタイムゾーンと、前記アップリンクサブフレームの前記第３の割り当てタイムゾーンとは任意的アロケーションに応じて決まる、付記１６に記載のフレーム構成。
（付記１８）前記第１のアロケーションはＰＵＳＣ（partially  used  sub-carriers）である、付記１７に記載のフレーム構成。
（付記１９）同一ネットワークセル内の複数の中継局が、前記ダウンリンクサブフレームの前記第１と第３の割り当てタイムゾーンと、前記アップリンクサブフレームの前記第１と第３のアロケーションタイムフレームとを共有する、付記１１に記載のフレーム構成。
（付記２０）前記ＯＦＤＭＡネットワークはＩＥＥＥ８０２．１６標準のネットワークである、付記１１に記載のフレーム構成。
【図面の簡単な説明】
【００３５】
【図１】ＩＥＥＥ８０２．１６標準に基づくＯＦＤＭＡネットワークで動作する中継局を含む、セル内トポロジーの一例を示す図である。
【図２】本発明の一実施形態による、基地局と１つ以上の移動局とを有するモバイルＯＦＤＭＡネットワークで動作する基地局のフレーム構成を示す図である。
【図３】本発明の一実施形態による、基地局と１つ以上の移動局とを有するモバイルＯＦＤＭＡネットワークで動作する中継局のフレーム構成を示す図である。
【図４】本発明の一実施形態による、基地局と１つ以上の移動局とを有するモバイルＯＦＤＭＡネットワークで動作する中継局の時間フレームの構成方法を示すフローチャートである。
【符号の説明】
【００３６】
１５  基地局
１７、２７、３７、６７  リンク
２５、３５、４５  移動局
５５  中継局
【図１】
2008178074.tif 000003
【図２】
2008178074.tif 000004
【図３】
2008178074.tif 000005
【図４】
2008178074.tif 000006
【外国語明細書】
2008178074000001.pdf